(57)【要約】      （修正有）【課題】容易に足に装着することができ、履物を脱ぐ時や予期せぬ事故などによって、履物が下方向へ強く引っ張られると即座に足から外れる、履物の落下防止具を提供する。【解決手段】一部に切れ目がある略環状に、足の周囲に巻くことによって装着され、装着された状態を維持する帯状体と、履物と帯状体とを接続する取付部材を備えて構成される。【選択図】図１
2018057778.tif 000002
【特許請求の範囲】
【請求項１】
一部に切れ目がある略環状に、足の周囲に巻くことによって装着され、かつ、装着された状態を維持する帯状体を備える履物の落下防止具。
【請求項２】
さらに、履物と前記帯状体とを接続する取付部材を備える請求項１に記載の履物の落下防止具。
【請求項３】
前記履物が靴であり、前記取付部材が、靴の踵側の上端に取り付けられ、前記切れ目が、前記取付部材と、前記足を挟んで反対側に設けられることを特徴とする請求項２に記載の履物の落下防止具。
【請求項４】
前記帯状体と前記取付部材の間に、紐又はゴムが設けられていることを特徴とする請求項２又は３に記載の履物の落下防止具。
【請求項５】
前記帯状体と前記履物の間に、紐又はゴムが設けられていることを特徴とする請求項１に記載の履物の落下防止具。
【発明の詳細な説明】
【技術分野】
【０００１】  この発明は、履物の落下防止具に関するものである。
【背景技術】
【０００２】  靴の踵側の上端に取り付けられた、一端にクリップが備わっている帯状のベルトを、使用者が靴着用時に足首に巻き付け、足首のサイズに合わせた位置でクリップにて固定しておく、靴の落下防止具が提案されている。（例えば、特許文献１参照）。【０００３】  これにより、意図せず脱げてしまった靴を足首に留めておくことができ、靴の落下を防止することができる。
【先行技術文献】
【特許文献】
【０００４】
【特許文献１】  特開２００９−１７２３３８
【発明の概要】
【発明が解決しようとする課題】
【０００５】  ここで、上述の従来例の靴の落下防止具は、一端にクリップが備わっている帯状のベルトを、使用者が、靴着用時に足首に巻き付け、足首のサイズに合わせた位置で、クリップで固定することで足首に装着するが、靴を着用する度に、足首のサイズに合わせた位置で、クリップで固定しなければならないのは、手間であると共に、特に靴の脱落機会が多いとされている乳幼児にとって、一人では難しい作業でもある。【０００６】  なお、靴の落下防止具は、靴を脱ぐ時や予期せぬ事故等で、靴が下方向へ強く引っ張られた時に、帯状のベルトが即座に足から外れるような構造になっていることが好ましい。【０００７】  本発明は、上述の問題点に鑑みてなされたものであり、本発明の目的は、容易に足に装着することができ、靴などの履物を脱ぐ時や予期せぬ事故などによって、履物が下方向へ強く引っ張られると即座に足から外れる、履物の落下防止具を提供することにある。
【課題を解決するための手段】
【０００８】  上述した目的を達成するために、本発明の履物の落下防止具は、一部に切れ目がある略環状に、足の周囲に巻くことによって装着され、装着された状態を維持する帯状体と、履物と、帯状体とを接続する取付部材とを備えて構成される。
【発明の効果】
【０００９】  本発明の履物の落下防止具は、略環状の帯状体の一部に備わっている切れ目部分を、手で水平方向に開き、その部分より足を通し入れ、足に帯状体を巻き付かせることによって容易に装着が可能である。
使用者は、履物着用時に、本発明の履物の落下防止具を足に装着しておくことによって、意図せず脱げてしまった履物の落下を防止することができ、履物の紛失機会を減らせる。【００１０】  また、本発明の履物の落下防止具は、履物を脱ぐ時や予期せぬ事故等で、履物が下方向へ強く引っ張られた時には、その引っ張られる力によって、略環状に足の周囲に巻かれた帯状体の一部に備わっている切れ目部分が水平方向に開かされて、即座に足から外れる。
これにより、履物を脱ぐ時に、わざわざ手で帯状体の切れ目部分を開いて足から外さなくてもよく便利であり、また、例えば、履物が車やエスカレーターの一部に引き込まれてしまうような事故の時にも、足などが履物ごと危険個所に引き込まれてしまう危険から身を守ることができて、安全性も高い。
【図面の簡単な説明】
【００１１】
【図１】  （Ａ）と（Ｂ）は、履物の落下防止具の斜視図であり、（Ｃ）は、側面図である。
【図２】  （Ａ）と（Ｂ）は、履物の落下防止具を靴に取り付けた状態の斜視図であり、（Ｃ）は、側面図である。
【図３】  （Ａ）と（Ｂ）は、履物の落下防止具を長靴に取り付けた状態の斜視図であり、（Ｃ）は、側面図である。
【図４】  履物の落下防止具の、靴への取り付け方の説明図である。
【発明を実施するための形態】
【００１２】  以下、図を参照して、本発明の実施の形態について説明するが、各構成要素の形状、大きさ及び配置関係については、この発明が理解できる程度に概略的に示したものに過ぎない。
また、以下、本発明の好適な構成例につき説明するが、各構成要素の材質及び数値的条件などは、単なる好適例にすぎない。
従って、本発明は以下の実施の形態に限定されるものではなく、本発明の構成の範囲を逸脱せずに本発明の効果を達成できる多くの変更又は変形を行うことができる。
【００１３】  図１を参照して、本発明の実施形態に係る履物の落下防止具について説明する。
図１（Ａ）は、帯状体１０に備わっている切れ目部分が、閉じられた状態の履物の落下防止具の斜視図であり、図１（Ｂ）は、帯状体１０に備わっている切れ目部分が、開かれた状態の履物の落下防止具の斜視図であり、図１（Ｃ）は、履物の落下防止具の側面図である。
【００１４】  本発明の履物の落下防止具は、一部に切れ目がある略環状に、足の周囲に巻くことによって装着され、装着された状態を維持する帯状体と、履物と帯状体とを接続する、布片やゴム片などの取付部材とを備えて構成される。
帯状体１０には、略環状に形状記憶加工された、たわんで足に巻き付く性質を持つ金属製のバンドや、足に巻き付くような略環状に成型された、ゴムやシリコンなど柔らかな素材で作られたベルトを用いる。
なお、金属製のバンドの場合は、金属が足を傷つけてしまうことを防ぐために、金属のまわりを布やシリコンなど柔らかな素材でコーティングして、用いる。
図２（Ａ）は、布片４０を用いて靴２０の踵側の上端に取り付けた状態の、履物の落下防止具の斜視図であり、図２（Ｂ）は、布片４０を用いて靴２０の踵側の上端に取り付けた状態で、帯状体に備わっている切れ目部分を開いた状態の、履物の落下防止具の斜視図であり、図２（Ｃ）は、布片４０を用いて靴２０の踵側の上端に取り付けた状態の、履物の落下防止具の側面図である。
ここでは、履物が靴２０であり、靴２０の、足を挿入する開口の踵側の上端に取付部材を取り付ける例を説明するが、これに限定されない。履物はサンダルなどでもよい。また、取付部材は、歩行時、履物を履く時、履物を脱ぐ時などに妨げにならない場所に取り付けることができる。
【００１５】  帯状体を、取付部材を用いずに、直接、接着又は縫着するなどして履物に取り付けられるように、構成する場合もある。  この履物の落下防止具を取り付けた靴を履く際には、略環状の帯状体の一部に備わっている切れ目部分を、手で水平方向に開き、その部分より足を通し入れ、足に帯状体を巻き付かせればよい。
また、靴を脱ぐ際には、靴を履く際と同様に、略環状の帯状体の一部に備わっている切れ目部分を、手で水平方向に開けばよい。なお、帯状体には、切れ目部分が設けられているので、切れ目部分に内側から足を押し当てるようにして力を加えれば、この切れ目部分で帯状体が水平方向に開く。このため、容易に、靴を脱ぐことができる。
【００１６】  また、本発明の履物の落下防止具を長靴にも対応可能とするためには、足の、履物の落下防止具の取り付け位置となる脛部分が、使用者が歩行する際に前後に振られることを考慮しなければならない。
そこで、足の脛の前後の振りに合わせて、落下防止具も前後に滑らかに動くようにするために、帯状体と取付部材の間に、所定の長さの紐又はゴムなどを設けるのが良い。
なお、帯状体を、取付部材を用いずに、直接、接着又は縫着するなどして履物に取り付けられるように構成する場合は、帯状体と履物の間に、所定の長さの紐又はゴムなどを設ける。
図３（Ａ）は、紐５０を介して長靴３０の踵側の上端に取り付けた状態の履物の落下防止具の斜視図であり、図３（Ｂ）は、紐５０を介して長靴３０の踵側の上端に取り付けた状態で、帯状体に備わっている切れ目部分を開いた状態の、履物の落下防止具の斜視図であり、図３（Ｃ）は、紐５０を介して長靴３０の踵側の上端に取り付けた状態の履物の落下防止具の側面図である。
【００１７】  また、本発明の履物の落下防止具は、靴の踵側の上端にクリップなどの取付部材によって取り付けられるように構成したり、靴の踵側の上端に予め付いているプルストラップに取り付けられるように構成したりする場合もある。
図４（Ａ）は、紐を介してクリップ６０によって靴に取り付けた状態の、履物の落下防止具の側面図であり、図４（Ｂ）は、靴に備わっているプルストラップ７０の筒状部分に帯状体を通すことによって靴に取り付けた状態の、履物の落下防止具の側面図である。
【符号の説明】
【００１８】１０    帯状体
２０    靴
３０    長靴
４０    布片
５０    紐
６０    クリップ
７０    プルストラップ
【図１】
2018057778.tif 000003
【図２】
2018057778.tif 000004
【図３】
2018057778.tif 000005
【図４】
2018057778.tif 000006